【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
ＣＲＣ領域とペイロードとを含む制御情報送信用チャネルにより、複数の制御情報を移動局装置へ送信する基地局装置であって、
前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルのＣＲＣ領域に付与して、前記制御情報送信用チャネルにより前記移動局装置へ送信することを特徴とする基地局装置。
【請求項２】
前記制御情報は、前記移動局装置宛のデータが配置されるＰＲＢの位置、変調方式、データ長、ＨＡＲＱに必要な情報のいずれかを含む下りリンク制御情報であることを特徴とする請求項１に記載の基地局装置。
【請求項３】
前記制御情報は、前記移動局装置がデータを送信するＰＲＢの位置、変調方式、データ長、送信タイミング制御、電力制御、前記移動局装置が送信したデータに対するＨＡＲＱのＡＣＫ／ＮＡＣＫのいずれかを含む上りリンク制御情報であることを特徴とする請求項１に記載の基地局装置。
【請求項４】
ＣＲＣ領域とペイロードとを含む制御情報送信用チャネルにより、複数の制御情報を基地局装置から受信する移動局装置であって、
前記制御情報送信用チャネルのＣＲＣ領域に付与されており、前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルにより前記基地局装置から受信し、
前記識別情報に従って前記制御情報を取得することを特徴とする移動局装置。
【請求項５】
前記制御情報は、前記移動局装置宛のデータが配置されるＰＲＢの位置、変調方式、データ長、ＨＡＲＱに必要な情報のいずれかを含む下りリンク制御情報であることを特徴とする請求項４に記載の移動局装置。
【請求項６】
前記制御情報は、前記移動局装置がデータを送信するＰＲＢの位置、変調方式、データ長、送信タイミング制御、電力制御、前記移動局装置が送信したデータに対するＨＡＲＱのＡＣＫ／ＮＡＣＫのいずれかを含む上りリンク制御情報であることを特徴とする請求項４に記載の移動局装置。
【請求項７】
ＣＲＣ領域とペイロードとを含む制御情報送信用チャネルにより、複数の制御情報を基地局装置から移動局装置へ送信する制御情報送信方法であって、
前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルのＣＲＣ領域に付与して、前記制御情報送信用チャネルにより前記移動局装置へ送信することを特徴とする制御情報送信方法。
【請求項８】
ＣＲＣ領域とペイロードとを含む制御情報送信用チャネルにより、複数の制御情報を移動局装置が基地局装置から受信する制御情報受信方法であって、
前記制御情報送信用チャネルのＣＲＣ領域に付与されており、前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルにより前記基地局装置から受信し、
前記識別情報に従って前記制御情報を取得することを特徴とする制御情報受信方法。
【手続補正２】
【補正対象書類名】明細書
【補正対象項目名】００１３
【補正方法】変更
【補正の内容】
【００１３】
本発明は上記の課題を解決するためになされたものであり、ＣＲＣ領域とペイロードとを含む制御情報送信用チャネルにより、複数の制御情報を移動局装置へ送信する基地局装置であって、前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルのＣＲＣ領域に付与して、前記制御情報送信用チャネルにより前記移動局装置へ送信する。
また、上記の基地局装置において、前記制御情報は、前記移動局装置宛のデータが配置されるＰＲＢの位置、変調方式、データ長、ＨＡＲＱに必要な情報のいずれかを含む下りリンク制御情報である。
また、上記の基地局装置において、前記制御情報は、前記移動局装置がデータを送信するＰＲＢの位置、変調方式、データ長、送信タイミング制御、電力制御、前記移動局装置が送信したデータに対するＨＡＲＱのＡＣＫ／ＮＡＣＫのいずれかを含む上りリンク制御情報である。
【手続補正３】
【補正対象書類名】明細書
【補正対象項目名】００１４
【補正方法】変更
【補正の内容】
【００１４】
また、ＣＲＣ領域とペイロードとを含む制御情報送信用チャネルにより、複数の制御情報を基地局装置から受信する移動局装置であって、前記制御情報送信用チャネルのＣＲＣ領域に付与されており、前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルにより前記基地局装置から受信し、前記識別情報に従って前記制御情報を取得する。
また、上記の移動局装置において、前記制御情報は、前記移動局装置宛のデータが配置されるＰＲＢの位置、変調方式、データ長、ＨＡＲＱに必要な情報のいずれかを含む下りリンク制御情報である。
また、上記の移動局装置において、前記制御情報は、前記移動局装置がデータを送信するＰＲＢの位置、変調方式、データ長、送信タイミング制御、電力制御、前記移動局装置が送信したデータに対するＨＡＲＱのＡＣＫ／ＮＡＣＫのいずれかを含む上りリンク制御情報である。
【手続補正４】
【補正対象書類名】明細書
【補正対象項目名】００１５
【補正方法】変更
【補正の内容】
【００１５】
また、ＣＲＣ領域とペイロードとを含む制御情報送信用チャネルにより、複数の制御情報を基地局装置から移動局装置へ送信する制御情報送信方法であって、前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルのＣＲＣ領域に付与して、前記制御情報送信用チャネルにより前記移動局装置へ送信する。
【手続補正５】
【補正対象書類名】明細書
【補正対象項目名】００１６
【補正方法】変更
【補正の内容】
【００１６】
また、ＣＲＣ領域とペイロードとを含む制御情報送信用チャネルにより、複数の制御情報を移動局装置が基地局装置から受信する制御情報受信方法であって、前記制御情報送信用チャネルのＣＲＣ領域に付与されており、前記制御情報送信用チャネルのペイロードにおいて、前記複数の制御情報のうちのどの一つまたは複数の制御情報が含まれ、それぞれの制御情報がどのようなサイズでどこに配置されるかを表すフォーマット識別情報を、前記制御情報送信用チャネルにより前記基地局装置から受信し、前記識別情報に従って前記制御情報を取得する。